(57)【要約】【課題】防刃部材をランドセル正面部に確実に止着できるが、通り魔的な事件に巻き込まれた場合等には、学童が容易に且つ迅速に防刃部材を身体前面側の使用位置へ旋回できるようにするための、上記防刃部材とランドセル正面部との止着手段を有する防刃ランドセルを提供する。【解決手段】上記防刃部材６をランドセル正面部に着脱自在に止着するための止着手段を、該防刃部材６とランドセルの正面部とに取り付けた磁石１３とそれに磁気吸着する吸着金具１４とによって構成する。【選択図】図１
0003119390.tif 000002
【実用新案登録請求の範囲】
【請求項１】
ランドセルの背板の上端部に、ランドセル使用者を保護するための防刃部材を伸縮自在の連結部材で連結することにより、この防刃部材を、ランドセルの正面に沿って止着される収納位置と、ランドセル使用者の身体前面を覆う使用位置とに旋回可能としたものにおいて、
上記防刃部材を収納位置に止着するための止着手段を、該防刃部材とランドセルの正面部分とに取り付けた磁石とそれに磁気吸着される吸着金具とによって構成したことを特徴とする防刃ランドセル。
【請求項２】
上記防刃部材が、被せ蓋の外面を覆うカバー部材からなっていて、このカバー部材に防刃板を内蔵することにより構成されていることを特徴とする請求項１に記載の防刃ランドセル。
【請求項３】
上記防刃部材が、ランドセルの開口部を開閉するための被せ蓋からなっていて、この被せ蓋に防刃板を内蔵することにより構成されていることを特徴とする請求項１に記載の防刃ランドセル。
【請求項４】
上記防刃板が磁性を持つ金属板であって、上記吸着金具を兼ねていることを特徴とする請求項２または３に記載の防刃ランドセル。
【請求項５】
上記防刃部材の上端部に連結し、この防刃部材を上記使用位置に旋回させるための操作部材が取付けられていることを特徴とする請求項１から４のいずれかに記載の防刃ランドセル。
【請求項６】
上記操作部材が、ランドセルの背負いベルトに先端を着脱自在に保持させた引き紐であることを特徴とする請求項５に記載の防刃ランドセル。
【請求項７】
ランドセルに警報器を付設し、該警報器を動作させる発報手段と上記防刃部材とを、該防刃部材の身体前面側への旋回に応動して、上記発報手段が警報器を動作させるように連結したことを特徴とする請求項１から６のいずれかに記載の防刃ランドセル。
【請求項８】
ランドセルに警報器を付設し、上記防刃部材をランドセルから取り外し可能に形成し、上記警報器を動作させる発報手段と防刃部材とを、ランドセルからの該防刃部材の取り外しに応動して、上記発報手段が警報器を動作させるように連結したことを特徴とする請求項１から６のいずれかに記載の防刃ランドセル。
【請求項９】
上記連結部材が弾性的に伸縮するコイル状の部材であることを特徴とする請求項１から８のいずれかに記載の防刃ランドセル。
【考案の詳細な説明】
【技術分野】
【０００１】
本考案は、通学時において学童が通り魔的な事件に巻き込まれた時に刃物等の凶器から身を守ることができる防刃ランドセルに関するものである。
【背景技術】
【０００２】
近年、通学時に学童を狙った通り魔的な事件が数多く発生しており、中には幼い命が犠牲になる痛ましい事件も少なくない。
而して、特に小学校に通学している学童は、体格も小柄で体力的に到底大人に太刀打ちできるものではなく、刃物等の凶器を使った通り魔的な事件に巻き込まれた場合に、その凶器から咄嗟に身を守るための何らかの手段が必要である。しかしながら学童に重い防護服や防護のための装備を持たせることは、通学時に大きな負担になるばかりでなく、幼い学童に精神的に大きな負担を背負わせることになりかねず、必ずしも最善の策とは言えないものである。よって、普段から通学時に身につけている身近なものを利用して身を守れることが、学童に負担をかけないためにも好ましい。
また、学童が通り魔的な事件に巻き込まれた場合、突然の恐怖に声も出ず、周囲に助けを求めることができない場合も考えられ、咄嗟の場合でも容易に且つ確実に警報音やメッセージ等で警報を発して、周囲に救助を求めることができるような手段が必要とされている。
【０００３】
これらを解決する手段として、特許文献１の防刃ランドセルが提案されている。このランドセルにおける防刃部材は、ランドセルの収納部の上方開口部を開閉する被せ蓋、あるいは被せ蓋に被着するカバーに、金属板または硬質板からなる防刃板を内蔵させて形成した防刃部材を有している。そして通り魔的な事件に巻き込まれた場合には、ランドセル正面部に沿って止着された防刃部材を、ランドセル使用者の頭の上を超えて前面側に旋回させ、身体の前面に当てることにより自分の身を守ることができるように構成されている。
【０００４】
【特許文献１】実登第３１１０７３５号公報
【考案の開示】
【考案が解決しようとする課題】
【０００５】
上記防刃ランドセルにおいては、ランドセル正面部に止着した防刃部材を、該ランドセルを背負った状態で頭の上を越えて身体の前面に移動させるので、防刃部材のランドセルへの係止力が大きいと、学童にとって防刃部材の旋回が困難になる場合も考えられる。
そこで、本考案の技術的課題は、防刃部材をランドセル正面部に確実に止着できるが、通り魔的な事件に巻き込まれた場合等には、学童が容易に且つ迅速に防刃部材を身体前面側の使用位置へ旋回できるようにするための、上記防刃部材とランドセル正面部との止着手段を有する防刃ランドセルを提供することにある。
また、本考案の他の技術的課題は、防刃部材を身体の前面側に旋回しようとしても、それを後から引き剥がされる場合も考えられ、従って、防刃部材を身体の前面に旋回させた場合または後から引き剥がされた場合にも警報器が動作するようにした防刃ランドセルを提供することにある。
【課題を解決するための手段】
【０００６】
上記課題を解決するため、本考案の防刃ランドセルは、ランドセルの背板の上端部に、ランドセル使用者を保護するための防刃部材を伸縮自在の連結部材で連結することにより、この防刃部材を、ランドセルの正面に沿って止着される収納位置と、ランドセル使用者の身体前面を覆う使用位置とに旋回可能としたものにおいて、上記防刃部材を収納位置に止着するための止着手段を、該防刃部材とランドセルの正面部分とに取り付けた磁石とそれに磁気吸着される吸着金具とによって構成したことを特徴とするものである。
【０００７】
本考案においては、上記防刃部材が、被せ蓋の外面を覆うカバー部材からなっていて、このカバー部材に防刃板を内蔵することにより構成されていても、あるいは、ランドセルの開口部を開閉するための被せ蓋からなっていて、この被せ蓋に防刃板を内蔵することにより構成されていてもよい。
また、本考案においては、上記防刃板が磁性を持つ金属板であって、上記吸着金具を兼ねたものとして構成できる。
【０００８】
本考案に係る上記防刃ランドセルの好ましい実施形態においては、上記防刃部材の上端に連結し、この防刃部材を使用位置に旋回させるための操作部材が取付けられる。該操作部材は、ランドセルの背負いベルトに先端を着脱自在に保持させた引き紐により構成することが望まれる。
さらに、上記ランドセルに警報器を付設し、該警報器を動作させる発報手段と上記防刃部材とを、該防刃部材の身体前面側への旋回に応動して、上記発報手段が警報器を動作させるように連結することができる。
あるいは、上記ランドセルに警報器を付設し、上記防刃部材をランドセルから取り外し可能に形成し、上記警報器を動作させる発報手段と防刃部材とを、ランドセルからの該防刃部材の取り外しに応動して、上記発報手段が警報器を動作させるように連結することができる。
上記防刃部材とランドセルの背板の上端部とを連結する伸縮自在の連結部材は、弾性的に伸縮するコイル状の部材により連結して構成できる。
【０００９】
上記構成を有する防刃ランドセルは、学童が普段から通学時に身につけているランドセルに防刃部材を取付け、この防刃部材をランドセル正面から身体前面の使用位置に旋回させるのを容易にするため、防刃部材とランドセルとの止着手段を、磁石とそれに磁気吸着される吸着金具によって構成し、その吸着力の特性を有効に利用したものである。
すなわち、磁石とそれに磁気吸着した吸着金具は、それらを離脱させる場合に、相互の吸着面に対して垂直方向の力を加えると、それらの大きな吸着力に対応する力が必要であるが、上記吸着面に沿う方向の力を作用させると、比較的小さな力でも相互の吸着面がずれ動き、それによって磁石と吸着金具とを比較的容易に離脱させ得るという特性を有している。本考案は、このような特性を利用したもので、磁石と吸着金具による止着により、防刃部材がランドセルの正面部に確実に止着されるが、ランドセルを背負った状態で肩口から防刃部材を持って該防刃部材を頭越しに身体の前面側に旋回させるときに、当然に防刃部材をランドセルの正面に沿って上方に移動させることになり、その場合の磁石と吸着金具はそれらの吸着面に沿う方向に相対移動することになるため、両者の離脱が容易に行われる。
すなわち、収納位置に磁気吸着によって止着された防刃部材を、学童でも防刃部材の上方への引張り操作をすることによって、容易に身体前面側に旋回させることが可能となる。
また、防刃部材を身体の前面に旋回させた場合または後から引き剥がされた場合にも、警報を発し、周囲に危険な状態にあることを知らせることができる。
【考案の効果】
【００１０】
以上に記述した本考案によれば、防刃部材とランドセル正面部との止着手段を磁石と磁性金具で構成することにより、防刃部材をランドセルの正面部に確実に止着できるが、学童が通り魔的な事件に巻き込まれた場合は、容易に且つ迅速に防刃部材を身体前面側へ旋回することができる。
【考案を実施するための最良の形態】
【００１１】
以下に、本考案にかかる防刃ランドセルを実施するための最良の形態を図面に基づいて詳細に説明するに、図１及び図２は本考案の第１実施例を示している。
この防刃ランドセル１は、主に小学校に通う学童が使用するもので、ランドセル自体の基本的な構成は従来より広く使用されているランドセルと同一としている。したがって、特に必要がなければ、本考案の要旨とする構成のみを説明することとし、ランドセル自体の構成の説明は省略する。
【００１２】
第１実施例の防刃ランドセル１は、図１及び図２に示すように、該ランドセル１における収納部２の上方開口部２ａを開閉する被せ蓋の外面に、学童が通り魔的な事件に巻き込まれた時に、自分の身を守るための防刃部材６を取付けている。該防刃部材６は、合成樹脂製のカバー部材の内部に、鉄やアルミニウム等の金属板あるいは硬質合成樹脂板等からなる防刃板（防刃シート）５を内蔵させることにより構成し、被せ蓋の外面を覆うカバーとしての機能を兼備するものである。該防刃部材６は、その上端部が、ランドセルの背板７の上端部に、弾性的に伸縮する左右一対のコイルばね状の連結部材８で連結されると共に、左右一対の操作紐９が連結されていて、図３に示すように、ランドセル１の使用時に該操作紐９を引張り操作して、上記連結部材８を伸長させ、伸長した該連結部材８の間に頭部を挿通することで、この防刃部材６を身体前面側に旋回させることができるように構成されている。              
【００１３】
上記一対の連結部材８の一端は、防刃部材６の上端部における幅方向両側端寄りの位置に取付けられ、それらの他端は上記ランドセル１の背板７の中央部付近に取付けられている。これらの連結部材８の間隔は、少なくとも頭部が挿通できる間隔である。これらの連結部材８は、防刃部材６の旋回時には頭上を通過できる長さまで伸長し、防刃部材６の収納時には、図２に示すように該防刃部材６を上記被せ蓋の外面（従ってランドセルの正面）を完全に覆う位置に吊り下げて支持するものであるが、この支持が不安定であれば、防刃部材６の上部を簡単に離脱できる状態で被せ蓋に吊掛け可能にすることができる。
【００１４】
上記一対の操作紐９の基端部は、上記防刃部材６の幅方向両端部に固定され、それらの先端部は、ランドセル１の背負いベルト１２に着脱自在に取付けておくのが望まれる。その取付けは例えば上記操作紐９の先端部に鉤型突起１０を取付け、該鉤型突起１０が背負いベルト１２に設けた輪奈１１と係合して着脱自在に取付けられる手段等が望ましい。また、上記操作紐９の先端部を背負いベルト１２に連結しておくことにより、上記操作紐９が学童の首に巻付く等の事故を防ぐことができる。  
図示の上記操作紐９は、コイルばね等の弾性部材９ａと紐９ｂとで形成され、伸縮自在に形成されているが、該操作紐９は伸縮自在な構成とすることにとらわれるものではない。
【００１５】
上記防刃部材６と被せ蓋には、該防刃部材６を収納位置において、被せ蓋に止着するための止着手段が設けられている。この止着手段は、磁石１３とこの磁石１３に磁気吸着される磁性材製の吸着金具１４とで構成され、図示の例では、ランドセル１の被せ蓋の外面側に吸着金具１４を付設すると共に、上記防刃部材６の内面側における、上記吸着金具１４との対応位置に複数の磁石１３を付設している。また上記吸着金具１４は、被せ蓋の内面側に内蔵させることによっても構成できる。
なお、防刃板５を強磁性の金属板として防刃部材６を構成し、ランドセル１の被せ蓋の外側面に複数の磁石を付設することにより、上記防刃部材６を被せ蓋に着脱自在に止着できるように構成することもできる。  
【００１６】
ランドセル１の使用時に、収納位置に止着された上記防刃部材６を使用位置まで旋回させる場合には、肩越しの操作紐９により防刃部材６をランドセル正面部に沿って頭部方向へ移動させ、該防刃部材の上端部が、使用者の頭上を通過し身体前面側に旋回するように操作紐９を引張り操作する。この場合、上記磁石１３と吸着金具１４とが、それらの吸着面に沿う方向に相対移動するので、両者の離脱が簡単に行われる。
【００１７】
上記防刃部材６の内面側及びランドセル１の被せ蓋の外面側は、図１に示すように警報表示板１５も兼ねている。この警報表示板１５は「１１０番して下さい」や「警察に通報して下さい」の非常事態を伝えるメッセージが記載されたシール、ステッカー等を貼付けることにより形成され、学童が突然の恐怖で声を出すことができなくなった場合でも、防刃部材６を使用位置である身体前面側に旋回させることで、周囲に警報を発して救助を求めることができる。
【００１８】
また、上記ランドセル１の収納部２の側面には、上記防刃部材６の身体前面側への旋回に応じて作動する警報器が付設されている。この警報器は該警報器に付設された発報手段を構成するピン１６を抜くことで警報音を発報するもので、該ピン１６と上記防刃部材６とを連結することにより、防刃部材６の身体前面側への旋回によって警報器からピン１６が抜かれ、警報器が発報し周囲に警報を発するように構成している。ピン１６と上記防刃部材６を連結する部材は、切断への抵抗力が高いチェーン部材１９を使用することが望ましい。
【００１９】
上記警報器はランドセル１の収納部２の側面に付設した小収納部１７に収納することで取付けできる。この小収納部１７は、ランドセル１の収納部２の側面上端部側に設けられ、該小収納部１７は上蓋１８を備え、この上蓋１８と上記小収納部１７が、ボタンとボタン孔により着脱自在に止着する止着手段を備えている。小収納部１７の上蓋１８には上記ピン１６を挿入するための、挿入孔１８ａが設けられており、この挿入孔１８ａにピン１６を挿入することで上記警報器に取付けられる。
なお、上記警報器としては公知の護身用の警報器を適用することができる。
【００２０】
図示では省略しているが、例えば上記チェーン部材１９の長さを、防刃部材６の旋回時でも上記ピン１６が抜けない長さに形成し、普段はそれを短く束ねて面ファスナーや針金等の結束部材で止めておくことによって、通り魔等の事件に巻き込まれた場合にはピン１６が抜けて警報器が動作し、学童が家の中や教室等においては、上記結束部材を外して、警報器が動作しないように構成することができる。
【００２１】
図１及び図２において、上記防刃部材６の外面部には、側辺を開口部２２としたポケット部２０が設けられている。該ポケット部２０は、上記防刃部材６の外面に透明な合成樹脂からなる外面形成シート２０ａを、上記開口部２２を除く３辺で縫着することにより形成されている。
上記開口部２２は、面ファスナーによる止着手段を設けることで閉塞可能になっている。上記ポケット部２０は「防犯アラーム携帯中」と記載された防犯ステッカー等を収納するためのもので、このステッカーが反射する素材であれば、夜道や暗闇で歩行する際でも車や二輪車等から発見しやすくなる。
【００２２】
上記構成を有する第１実施例の防刃ランドセル１は、学童が普段から通学時に身につけているランドセルに防刃部材６を取付けて、この防刃部材６が被せ蓋と止着する止着手段を、磁石１３と磁気吸着される吸着金具１４によって構成したことにより、防刃部材６がランドセル１の被せ蓋に確実に止着されると共に、学童でも操作紐９を肩越しに操作することで、容易に防刃部材６を止着位置から身体前面側に旋回させることができる。
【００２３】
図４は第１実施例の変形例を示すもので、この防刃ランドセル１は、防刃部材６をランドセルから取り外し可能に形成し、該防刃部材６をランドセルから剥ぎ取られたときに、該防刃部材６と連結した作動ピン１６が抜けて警報器を発報させるように構成したものである。即ち、上記防刃部材６の上端部の左右両側端部よりの位置に吸着金具６６を付設し、一対の連結部材８ａの先端に該吸着金具６６に吸着する磁石６４を付設することにより、上記防刃部材６をランドセルから取り外し可能に構成している。また、警報器を発報させるピン１６は、第１実施例と同じく上記防刃部材６の上端部とチェーン部材１９で連結されており、上記防刃部材６がランドセルから外れることで警報器が発報されるように構成されている。
上記例では防刃部材６に吸着金具６６を取付け、連結部材８ａに磁石６４を取付けているが、それとは逆に、上記防刃部材６に磁石６４を付設し、連結部材８ａに吸着金具６６を付設してもよい。あるいは、上記磁石６４と吸着金具６６の代わりに面ファスナー等を用いることもできる。
なお、第１実施例のように上記操作紐９と背負いベルト１２とを面ファスナー１０，１１で連結する代わりに、この変形例では、それらを、その一方と他方とに取付けた磁石６５と吸着金具とによって分離自在としている。
【００２４】
この変形例の上記以外の構成は、実質的に上記第１実施例と同じであるから、それらの主要な同一構成部分に第１実施例の場合と同じ符号を付し、その説明は省略するものとする。
【００２５】
図５及び図６は、本考案の防刃ランドセルの第２実施例を示している。
この第２実施例の防刃ランドセル３１は、該ランドセル３１の収納部３２の上方開口部３２ａを開閉する被せ蓋に第１実施例と同様な防刃板３５を内蔵させることにより、防刃部材３６を構成している。
【００２６】
上記ランドセル３１の収納部３２の上方開口部３２ａには該上方開放部３２ａを覆い、ランドセル１の背板３７の上端部に連結した内蓋６０を設け、該内蓋６０と収納部３２とに着脱自在に止着する止着手段を設けている。この止着手段は、面ファスナーやボタンとボタン孔などの止着手段で構成することができる。該内蓋６０が上記上方開口部３２ａを覆うことにより、上記防刃部材３６の身体前面側への旋回時に、収納部３２に収納した学用品等が飛散することを防止している。  
【００２７】
上記防刃部材３６を構成する被せ蓋は、身体前面の使用位置に旋回させるため、その上端部両端の左右一対の連結部材３６ａにてランドセル３１の背板３７と連結されていて、ランドセル正面部を覆うように開閉されるものである。この被せ蓋は、上記連結部３６ａ間を開いた状態にすることにより、身体前面への旋回を容易にしているが、必ずしも上記連結部３６ａ間を開いておく必要はない。そしてこの防刃部材３６を構成する被せ蓋は身体前面への旋回のために、上記連結部３６ａがランドセル３１の背板３７と着脱自在に止着され、その止着手段は、例えば上記紐状部材６１の先端部に鉤型突起を取付け、該鉤型突起をランドセル３１の背板３７に設けた輪奈と係合させる面ファスナーにより着脱自在に形成されている。
上記連結部３６ａをランドセル３１の背板３７に止着することにより、被せ蓋を開くと共に内蓋６０を開くことにより、収納部３２に収納されている学用品等を取出すことができる。ランドセル正面部の止着位置に止着された防刃部材３６を身体前面へ旋回させる際には、上記連結部３６ａを背板３７から離脱させたうえで第１実施例と同様に操作紐９を操作する必要があるが、操作紐９と連結部３６ａとを一部で連結しておくことにより、防刃部材３６を身体前面側に旋回することができる。
【００２８】
上記防刃部材３６の下部内面側とランドセル３１の収納部３２の下部外面側には、該防刃部材３６と収納部３２を止着するための止着手段を付設している。この止着手段は、第１実施例と同様に、上記ランドセル３１の収納部３２の外面側に、磁気吸着する吸着金具４４を付設すると共に、防刃部材の内面側の対応位置に複数の磁石４３を付設することにより、上記防刃部材３６を収納位置に止着できるように構成される。この場合、上記収納部３２の外面側に付設された吸着金具４３は、上記収納部３２の内部に内臓させた構成とすることもできる。
なお、上記被せ蓋に内蔵させた防刃板３５を強磁性の金属板で構成し、ランドセル３１の収納部３２の外側面に複数の磁石を付設することにより、上記防刃部材３６を収納部３２に着脱自在に止着できるように構成することもできる。
【００２９】
また、上記防刃部材３６は該防刃部材３６の収納位置において上記内蓋６０と着脱自在に止着する止着手段が付設されている。この止着手段は、防刃部材３６の内面側の上端部に磁石６２を付設し、内蓋６０の外面側の上記磁石６２の対応する部位に、磁気吸着する吸着金具６３を付設するようにしているが、他の止着手段によって形成することもできる。この止着手段を磁石とそれに磁気吸着する吸着金具で構成することで、前記磁石４３と吸着金具４４による止着と同様に、防刃部材３６の身体前面への旋回時に該防刃部材３６をランドセル正面部から簡単に離脱することが可能になる。
【００３０】
また、上記第２実施例においては、防刃部材３６と連結部材８とがお互いに分離できないように連結されているが、第１実施例の変形例と同様に構成することによって該防刃部材を取り外し可能とすることができる。即ち、防刃部材３６を形成する被せ蓋の上端部に左右両側に吸着金具を付設し、一対の連結部材８の一端に磁石を付設することで、防刃部材３６は連結部材８から離脱可能となる。この結果、第１実施例の変形例と同様に、防刃部材３６がランドセルから剥ぎ取られたとき警報器が動作することになる。
この防刃ランドセルは、防刃部材３６に吸着金具を取付け、連結部材８に磁石を取付けているが、それとは逆に、上記防刃部材３６に磁石を付設し、連結部材８に吸着金具を付設することができる。または、上記磁石と吸着金具の代わりに面ファスナーを用いることもできる。
【００３１】
なお、本実施例において、その他の構成及び作用は、実質的に前記第１実施例と変わるところがないから、同一または相当部分に同一符号を付して、それらの説明を省略する。
【図面の簡単な説明】
【００３２】
【図１】本考案の第１実施例において、防刃部材を上方まで旋回させた状態を示す斜視図である。
【図２】同防刃部材を収納位置に収納した状態を示す斜視図である。
【図３】上記防刃部材を身体前面側の使用位置に旋回した状態を示す動作説明図である。
【図４】本考案の第１実施例の変形例を示す斜視図である。
【図５】本考案の第２実施例において、防刃部材を上方まで旋回させた状態を示す斜視図である。
【図６】同防刃部材を収納位置に収納した状態を示す斜視図である。
【符号の説明】
【００３３】
１，３１  防刃ランドセル
５，３５  防刃板
６，３６  防刃部材
８  連結部材      
９  操作紐      
１３，４３  磁石
１４，４４  吸着金具
【図１】
0003119390.tif 000003
【図２】
0003119390.tif 000004
【図３】
0003119390.tif 000005
【図４】
0003119390.tif 000006
【図５】
0003119390.tif 000007
【図６】
0003119390.tif 000008